(57)【要約】  【課題】記録媒体における、不正コピー防止の機能を向上させる。  【解決手段】記録媒体は、回転対称性を有する形状とされた基体と、基体の内部に配置された第１の情報記録体と、基体上に配置された第２の情報記録体とを備える。回転中心と照明光源との相対位置関係が固定された状態で記録媒体が照明光源により照明されたときに、第２の情報記録体のうち、基体の回転角に応じた部分から情報が再生される。【選択図】図１
2013211064.tif 000002
【特許請求の範囲】
【請求項１】
回転対称性を有する形状とされた基体と、
前記基体の内部に配置された第１の情報記録体と、
前記基体上に配置された第２の情報記録体と
を備え、
回転中心と照明光源との相対位置関係が固定された状態で前記照明光源により照明されたときに、前記第２の情報記録体のうち、前記基体の回転角に応じた部分から情報が再生される記録媒体。
【請求項２】
前記第２の情報記録体が、屈折率の変調として情報の記録される情報記録体である請求項１に記載の記録媒体。
【請求項３】
前記第２の情報記録体に記録される情報が、円環状に配列されたバーコードの態様とされる請求項１に記載の記録媒体。
【請求項４】
前記第２の情報記録体に記録される情報が、前記第１の情報記録体に記録される情報と関連づけられた情報である請求項１に記載の記録媒体。
【請求項５】
前記第２の情報記録体に記録される情報が、前記第１の情報記録体に記録された情報の再生に必要とされる情報である請求項１に記載の記録媒体。
【請求項６】
前記第２の情報記録体に記録される情報が、前記第１の情報記録体に対する情報の記録に必要とされる情報である請求項１に記載の記録媒体。
【請求項７】
前記第１の情報記録体が、入射した光に対する反射特性の変調として情報の記録される情報記録体である請求項１に記載の記録媒体。
【請求項８】
前記第１の情報記録体が、円環状とされ、
前記第２の情報記録体が、円環状とされた前記第１の情報記録体の内径よりも内側に配置される請求項１に記載の記録媒体。
【請求項９】
前記第２の情報記録体が、前記基体に設けられた凹部に配置される請求項１に記載の記録媒体。
【発明の詳細な説明】
【技術分野】
【０００１】
本開示は、記録媒体に関する。本開示は、特に、不正コピー防止の機能の向上された情報記録媒体に関する。
【背景技術】
【０００２】
映像や音楽、コンピュータプログラムなどのコンテンツの記録媒体として、例えば、いわゆる光ディスクが使用されている。このような光ディスクとして、例えば、ＣＤ（compact disc）やＤＶＤ（Digital Versatile Disc）、「Ｂｌｕ‐ｒａｙ  Ｄｉｓｃ（ブルーレイ  ディスク  アソシエーションの登録商標）」などが知られている。
【０００３】
光ディスクは、ピットおよびランドの形成された記録領域を備える記録媒体である。レーザ光源を備えるピックアップ装置により、ピットおよびランドの配置を読み取ることで、それぞれの光ディスクの規格に応じたビット列が取得され、記録領域に記録された情報を再生させることができる。
【０００４】
近年、光ディスクの高容量化がめざましい。光ディスクに記録される情報の高密度化に伴い、情報の記録された光ディスクの商品価値も高まっている。その一方で、海賊版と呼ばれる、不正なコピー品の流通が問題となっている。
【０００５】
不正なコピー品の流通の防止を目的として、光ディスクなどの記録媒体自体や、これらを収納するケースに、ホログラムシールを貼りつけることが行われている。
【０００６】
しかしながら、記録媒体やケースに貼りつけられたホログラムシールが、不正な目的を持つ者により剥離されるおそれがあった。例えば、記録媒体やケースから剥離された真正なホログラムシールが不正なコピー品に転用されたり、真正なホログラムシールを原版として複製された不正なホログラムシールが不正なコピー品に貼りつけられたりすることがあった。
【０００７】
ディスクに貼りつけられたホログラムシールの摘出を防止するために、例えば、下記の特許文献１には、ハブに設けた凹部にホログラムシールをはめこみ、ホログラムシールの摘出を困難とすることが提案されている。
【先行技術文献】
【特許文献】
【０００８】
【特許文献１】特開２００４−００５９８３号公報
【発明の概要】
【発明が解決しようとする課題】
【０００９】
記録媒体における、不正コピー防止の機能の向上が望まれている。
【課題を解決するための手段】
【００１０】
本開示の好ましい実施態様は、
記録媒体が、回転対称性を有する形状とされた基体と、基体の内部に配置された第１の情報記録体と、基体上に配置された第２の情報記録体とを備える。
回転中心と照明光源との相対位置関係が固定された状態で記録媒体が照明光源により照明されたときに、第２の情報記録体のうち、基体の回転角に応じた部分から情報が再生される。
【発明の効果】
【００１１】
少なくとも１つの実施例によれば、記録媒体における、不正コピー防止の機能を向上させることができる。
【図面の簡単な説明】
【００１２】
【図１】図１Ａは、本開示の実施形態にかかる記録媒体を示す平面図である。図１Ｂは、図１ＡのII−II断面を模式的に示す図である。図１Ｃは、本開示の実施形態にかかる記録媒体の断面の一例を模式的に示す図である。
【図２】図２Ａ〜図２Ｃは、光重合型フォトポリマの感光プロセスを示す概略図である。図２Ｄは、記録媒体からの情報の読み取り方法の一例を示す概略図である。
【図３】図３Ａは、第１の実施形態にかかる記録媒体の製造工程に使用される原版の構成の一例を示す平面図である。図３Ｂは、図３ＡのIX−IX断面を模式的に示す図である。図３Ｃは、図３ＢのＷ部を拡大して示す図である。
【図４】図４Ａおよび図４Ｂは、転写部のホログラム層に対する、ホログラム画像の記録方法の一例を示す概略図である。
【図５】図５Ａ〜図５Ｄは、転写部に記録されたホログラム画像を再生させるための照明光の入射角と、転写部から出射される再生光の出射角との間の関係を示す概略図である。
【図６】図６Ａ〜図６Ｃは、第１の実施形態にかかる記録媒体の製造方法の一例を示す概略図である。
【図７】図７Ａ〜図７Ｃは、第１の実施形態にかかる記録媒体の製造方法の一例を示す概略図である。
【図８】図８Ａおよび図８Ｂは、第２の情報記録体に対する露光を線単位で行う場合の概略を示す図である。図８Ｃおよび図８Ｄは、基体の回転に伴い、転写部のホログラム層に記録されているホログラム画像が第２の情報記録体に複製されていく様子を示す概略図である。
【図９】図９Ａは、記録媒体および光源に対して設定された座標系を示す図である。図９Ｂ〜図９Ｄは、記録媒体の中心と光源との相対位置関係を固定した状態で記録媒体を回転させたときに記録媒体から観察されるホログラム画像の例を示す概略図である。
【図１０】図１０Ａは、転写部として適用できる角度選択性ホログラフィック原版の製造方法の一例を示す概略図である。図１０Ｂは、転写部のホログラム層に記録されたホログラムを再生させるための照明光の入射角と、転写部から出射される再生光の出射角との間の関係を示す概略図である。図１０Ｃは、図４Ｂに示す仮想光源と同様の配置にある光源から転写部に対して放射状に照射される照明光により照明された転写部を、上方から観察したときに、転写部から観察される画像の例を示す概略図である。図１０Ｄは、第２の情報記録体に対する情報の記録の原理を示す概略図である。
【図１１】図１１Ａおよび図１１Ｂは、第２の情報記録体に対する、バーコードの記録方法の一例を示す概略図である。図１１Ｃは、第２の情報記録体に記録される、ホログラム画像としてのバーコードの構成例を示す概略図である。図１１Ｄは、ホログラム画像として第２の情報記録体に記録されたバーコードの読み取り方法の一例を示す概略図である。
【図１２】図１２Ａおよび図１２Ｂは、第２の情報記録体に対して画像データを記録するための光学系の他の構成例を示す概略図である。図１２Ｃは、第２の情報記録体に記録される、ホログラム画像としてのバーコードの他の構成例を示す概略図である。図１２Ｄは、第１の記録領域にメディアＩＤを含む情報が記録されるとともに、第２の記録領域にホログラム画像としてのバーコードが記録された記録媒体の構成例を示す概略図である。
【図１３】図１３Ａは、第２の情報記録体に対して画像データを記録するための他の構成例を示す概略図である。図１３Ｂは、第２の情報記録体に記録される画像データの一例を示す概略図である。図１３Ｃは、ホログラム画像として第２の情報記録体に記録された画像データの読み取り方法の一例を示す概略図である。
【図１４】図１４Ａ〜図１４Ｄは、転写部に記録されたホログラム画像を再生させるための照明光の入射角と、転写部から出射される再生光の出射角との間の関係を示す概略図である。
【図１５】図１５Ａ〜図１５Ｃは、第２の実施形態にかかる記録媒体の製造方法の一例を示す概略図である。
【図１６】図１６Ａは、記録媒体および光源に対して設定された座標系を示す図である。図１６Ｂ〜図１６Ｄは、記録媒体の中心と光源との相対位置関係を固定した状態で記録媒体を回転させたときに記録媒体から観察されるホログラム画像の例を示す概略図である。
【図１７】図１７Ａは、転写部として適用できる角度選択性ホログラフィック原版の製造方法の他の一例を示す概略図である。図１７Ｂは、転写部のホログラム層に記録されたホログラムを再生させるための照明光の入射角と、転写部から出射される再生光の出射角との間の関係を示す概略図である。図１７Ｃは、転写部の上面と光軸とのなす角が４５°とされるとともに、−Ｙ方向に向けて進行する、コリメートされたレーザ光により照明された転写部を観察したときに転写部から観察されるホログラムの一例を示す概略図である。図１７Ｄおよび図１７Ｅは、第２の情報記録体に対して画像データを記録するための光源の構成例を示す概略図である。
【図１８】図１８Ａおよび図１８Ｂは、基体の表面側に第２の情報記録体の配置された記録媒体の構成例を示す図である。図１８Ｃおよび図１８Ｄは、第２の情報記録体からの情報の読み取り方法の一例を示す概略図である。
【発明を実施するための形態】
【００１３】
以下、記録媒体の実施形態について説明する。説明は、以下の順序で行う。
＜１．第１の実施形態＞
［１−１．記録媒体の概略的構成］
［１−２．記録媒体の製造方法の概略］
（１−２−１．原版の構成例）
（１−２−２．第２の情報記録体の転写および第２の情報記録体への情報の記録）
［１−３．第２の情報記録体からの情報の再生］
［１−４．角度選択性ホログラフィック原版を使用した画像データの記録］
（１−４−１．角度選択性ホログラフィック原版）
（１−４−２．第２の情報記録体に記録される画像データの態様の例）
＜２．第２の実施形態＞
［２−１．記録媒体の製造方法の概略］
（２−１−１．原版の構成例）
（２−１−２．第２の情報記録体の転写および第２の情報記録体への情報の記録）
［２−２．第２の情報記録体からの情報の再生］
［２−３．角度選択性ホログラフィック原版を使用した画像データの記録］
（２−３−１．角度選択性ホログラフィック原版）
＜３．変形例＞
【００１４】
なお、以下に説明する実施形態は、記録媒体の好適な具体例である。以下の説明においては、技術的に好ましい種々の限定が付されているが、特に本開示を限定する旨の記載がない限り、記録媒体の例は、以下に示す実施形態に限定されないものとする。
【００１５】
＜１．第１の実施形態＞
［１−１．記録媒体の概略的構成］
図１Ａは、本開示の実施形態にかかる記録媒体を示す平面図である。
【００１６】
図１Ａに示すように、記録媒体１は、例えば、円板形状など、回転対称性を有する形状とされた基体１０と、第１の情報記録体１１と、第２の情報記録体１２とを備えている。第１の情報記録体１１は、基体１０の内部に配置され、第２の情報記録体１２は、例えば、基体１０上に配置される。
【００１７】
第１の情報記録体１１は、例えば、入射した光に対する反射特性の変調により情報の記録される情報記録体である。第１の情報記録体１１は、例えば、光ピックアップによる情報の読み取りが可能とされている。または、例えば、光ピックアップによる情報の読み取りおよび書き込みの双方が可能とされている。
【００１８】
一方、第２の情報記録体１２は、屈折率の変調により情報の記録される情報記録体である。具体的には、第２の情報記録体１２は、情報がホログラフィックに記録されるホログラム記録層である。より具体的には、第２の情報記録体１２には、情報が体積ホログラムとして記録される。したがって、第２の情報記録体１２への情報の記録時における、参照光の照射方向と対応する方向から記録媒体１を照明することにより、第２の情報記録体１２に記録された情報を再生させることができる。
【００１９】
このように、第２の情報記録体１２に記録された情報は、あらかじめ定められた角度方向からの光照射により再生される。本開示では、回転中心と照明光源との相対位置関係が固定された状態で記録媒体が照明光源により照明されたときに、第２の情報記録体のうち、基体の回転角に応じた部分から、情報が再生される。
【００２０】
図１Ｂは、図１ＡのII−II断面を模式的に示す図である。なお、図１Ｂは、図１Ａに示す記録媒体１の断面を模式的に示す図であり、図１Ｂに示す各部材の厚さは、各部材の実際の厚さを表すものではない。本開示の他の図に関しても、同様とする。
【００２１】
図１Ａおよび図１Ｂに示すように、基体１０は、例えば、中心に孔部ＡＰの形成された円板形状とされる。基体１０を構成する材料としては、例えば、ポリカーボネート、ポリメタクリル酸メチル、エポキシ樹脂、環状オレフィン樹脂、ポリ乳酸などが挙げられる。
【００２２】
基体１０の内部には、例えば、円環形状とされた第１の情報記録体１１が配置される。第１の情報記録体１１の配置に対応して、記録媒体１に、第１の記録領域Ｒ１が形成されている。
【００２３】
第１の記録領域Ｒ１は、記録媒体１の主面のうち、大部分の領域を占めるが、基体１０に形成された孔部ＡＰの周縁部の近傍は、第１の情報記録体１１の配置されない円環状の領域とされている。基体１０に形成された孔部ＡＰの周縁から第１の記録領域Ｒ１の内径までの領域は、クランピングエリアＣＬと呼ばれる。例えば、光ピックアップを備える再生装置は、記録媒体１のクランピングエリアＣＬの保持および記録媒体１に対する回転運動の付与を行い、第１の記録領域Ｒ１からの情報の読み取りを行う。
【００２４】
基体１０の内部に配置された第１の情報記録体１１は、入射した光に対する反射特性の変調により、映像や音楽、コンピュータプログラムなどのコンテンツに関する情報を記録する情報記録層である。コンテンツに関する情報は、例えば、入射した光に対する反射特性に対応させた、「０」および「１」のビット列として第１の情報記録体１１に記録されている。すなわち、記録媒体１は、いわゆる光ディスクまたは光磁気ディスクとしての機能を備えている。
【００２５】
第１の情報記録体１１の構成は、第１の情報記録体１１に対する情報の記録の方式によってそれぞれ異なる。本開示では、第１の情報記録体１１の構成が、特定の方式に限定されるものではない。第１の情報記録体１１は、例えば、金属や金属酸化物、誘電体、有機色素、磁気材料などからなる１層以上の積層構造とされる。記録媒体１が光ディスクとして構成される場合、第１の情報記録体１１は、ピットやグルーブなどに対応した凹凸形状を有している。
【００２６】
図１Ａおよび図１Ｂに示すように、クランピングエリアＣＬの少なくとも一部には、例えば、円環状とされた第２の情報記録体１２が配置される。例えば、記録媒体１の裏面Ｂｓ側の主面上に配置された第２の情報記録体１２に対応して、記録媒体１には、第２の記録領域Ｒ２が形成されている。なお、図１Ｂでは、記録媒体１において、第１の記録領域Ｒ１に記録された情報の読み取りまたは書き込みを行う際に、第１の情報記録体１１に対するレーザ光を照射する側の面を裏面Ｂｓとし、裏面Ｂｓとは反対側のいわゆるレーベル面を表面Ｔｓとして示した。以下の説明においても、同様とする。
【００２７】
第２の情報記録体１２は、具体的には、例えば、光重合型フォトポリマからなるホログラム記録層である。すなわち、情報の記録された第２の情報記録体１２は、例えば、屈折率変調により情報の記録された体積ホログラムである。図１Ａでは、記録媒体１の製造者のロゴが、反射型の体積ホログラムとして第２の情報記録体１２に記録された構成例を示した。
【００２８】
なお、図１Ｂでは、第２の情報記録体１２が記録媒体１の裏面Ｂｓ上に配置されることにより、第２の情報記録体１２の表面が裏面Ｂｓに対して凸とされた構成例を示したが、第２の情報記録体１２の配置の態様は、この例に限られない。
【００２９】
図１Ｃは、本開示の実施形態にかかる記録媒体の断面の一例を模式的に示す図である。
【００３０】
図１Ｃでは、基体１３のクランピングエリアＣＬに設けられた円環状の溝に、第２の情報記録体１２がはめこまれた構成例を示した。記録媒体２の基体１３の例えば裏面Ｂｓには、凹部が設けられており、該凹部に第２の情報記録体１２が配置されている。このようにすることで、第２の情報記録体１２の表面および基体１３の例えば裏面Ｂｓとからなる面を平坦面とすることができる。
【００３１】
図２Ａ〜図２Ｃは、光重合型フォトポリマの感光プロセスを示す概略図である。
【００３２】
光重合型フォトポリマは、初期状態では、図２Ａに示すように、モノマＭがマトリクスポリマに均一に分散している。
【００３３】
図２Ｂに示すように、光重合型フォトポリマに対して１０〜４００ｍＪ／ｃｍ2程度のパワーの光ＬＡが照射されると、露光部においてモノマＭが重合する。そして、モノマＭがポリマ化するにつれて周囲からモノマＭが移動してモノマＭの濃度が場所によって変化する。これにより、屈折率変調が生じる。
【００３４】
この後、図２Ｃに示すように、１０００ｍＪ／ｃｍ2程度のパワーの光ＬＢが光重合型フォトポリマの全面に照射されることにより、モノマＭの重合が完了する。１０００ｍＪ／ｃｍ2程度のパワーの光ＬＢは、例えば、紫外線や可視光である。
【００３５】
光重合型フォトポリマは、入射された光に応じて屈折率が変化するので、参照光と物体光との干渉によって生じる干渉パターンを、屈折率の変化として記録することができる。光重合型フォトポリマを用いることにより、露光後における特別な現像処理を不要とすることができる。そのため、第２の情報記録体１２を構成する材料として光重合型フォトポリマを用いることにより、本開示の実施形態にかかる記録媒体の製造装置の構成を簡略化することができる。
【００３６】
図２Ｄは、記録媒体からの情報の読み取り方法の一例を示す概略図である。図２Ｄに示す図は、図１ＡのII−II断面に対応する図である。なお、図２Ｄでは、光ピックアップ１１１中の回折格子やコリメータなどの図示を省略した。
【００３７】
第１の情報記録体１１に記録されている情報は、図２Ｄに示すように、例えば、光ピックアップ１１１により読み取られる。光ピックアップ１１１内部のレーザ光源１１３から出射されたレーザ光は、ハーフミラー１１５により反射される。ハーフミラー１１５により反射されたレーザ光は、記録媒体１の基体１０を介して、第１の情報記録体１１に入射する。第１の情報記録体１１により反射された光の一部は、ハーフミラー１１５を透過して、光検出器１１７に到達する。
【００３８】
光検出器１１７の光電変換の作用により、第１の情報記録体１１により反射された光に関するアナログ信号が得られる。光検出器１１７からの出力は、アナログ／デジタル変換によりデジタル信号に変換され、アナログ／デジタル変換により得られたデジタル信号が、復号化される。
【００３９】
一方、第２の情報記録体１２に記録されている情報は、図２Ｄに示すように、例えば、あらかじめ定められた角度方向からの照明光ＩＬの照射により再生される。第２の記録領域Ｒ２の第２の情報記録体１２から再生された、ホログラム画像としての情報は、例えば、記録媒体１の観察者の目視により読み取られる。または、例えば、第２の記録領域Ｒ２の第２の情報記録体１２から再生された、ホログラム画像としての情報は、専用の読み取り装置により読み取られる。
【００４０】
記録媒体１に対して、例えば、表面Ｔｓの側から入射した照明光ＩＬは、基体１０を介して第２の情報記録体１２に到達し、第２の情報記録体１２により回折される。第２の情報記録体１２により回折された再生光ＤＬは、第２の情報記録体１２から記録媒体１の表面Ｔｓの側に向けて出射される。すなわち、図２Ｄでは、例えば、記録媒体１の観察者は、第２の情報記録体１２から再生されたホログラム画像を、基体１０を介して観察することになる。
【００４１】
なお、図２Ｄに示すように、第２の情報記録体１２の背面側に、例えば、ルーバー１５が配置されることが好ましい。ルーバー１５は、例えば、平面状の黒色の吸収層が一定間隔で透明板の内部に配置された構成を有する。ホログラム記録層としての第２の情報記録体１２と隣接してルーバー１５が配置されることにより、ホログラム画像のコントラストが上がり、第２の情報記録体１２から再生されたホログラム画像の視認性が向上する。なお、ルーバー１５にかえて、例えば、黒色の基材を第２の情報記録体１２と隣接して配置してもよい。
【００４２】
上述したように、ホログラム記録層としての第２の情報記録体１２に記録されたホログラム画像は、あらかじめ定められた角度方向からの照明光の照射により再生される。ここで、あらかじめ定められた角度方向とは、第２の情報記録体１２への情報の記録の際に使用される、原版に対する参照光の入射角度および物体光の入射角度によりきまる角度方向である。
【００４３】
［１−２．記録媒体の製造方法の概略］
本開示の実施形態にかかる記録媒体は、概略的には、内部に第１の情報記録体の配置された基体のクランピングエリアに、第２の情報記録体が配置されることにより製造される。好ましくは、クランピングエリアへの第２の情報記録体の配置とともに、第２の情報記録体に対する情報の記録が行われる。
【００４４】
以下、図面を参照して、本開示の実施形態にかかる記録媒体の製造方法の一例について説明する。なお、内部に第１の情報記録体の配置された基体の製造方法は、一般的な光ディスクの製造方法とほぼ同様であるので、説明を省略する。
【００４５】
（１−２−１．原版の構成例）
後述するように、第２の情報記録体への情報の記録は、例えば、原版にあらかじめ記録された情報を、第２の情報記録体に複製することにより行われる。したがって、本開示の実施形態にかかる記録媒体の製造方法の説明に先立ち、まず、記録媒体の製造工程に適用可能な原版の構成について説明する。
【００４６】
図３Ａは、第１の実施形態にかかる記録媒体の製造工程に使用される原版の構成の一例を示す平面図である。図３Ｂは、図３ＡのIX−IX断面を模式的に示す図である。
【００４７】
図３Ａおよび図３Ｂに示すように、原版５１は、例えば、転写部６１と、基部６５とから構成される。
【００４８】
転写部６１は、全体として円環状かつ上面Ｆｓが平坦面とされている。すなわち、転写部６１は、記録媒体１に形成される第２の記録領域Ｒ２に対応した形状とされている。例えば、第２の記録領域Ｒ２の内径および外径をそれぞれｒ１およびｒ２とすれば、転写部６１の内径および外径は、それぞれｒ１およびｒ２とほぼ等しく設定される。
【００４９】
基部６５は、例えば、金属や樹脂材料により構成され、転写部６１の支持基材として機能する。
【００５０】
図３Ｃは、図３ＢのＷ部を拡大して示す図である。
【００５１】
図３Ｃに示すように、転写部６１は、例えば、ガラス板７３ａおよびガラス板７３ｂの間に挟まれたホログラム層７１を備えている。ホログラム層７１は、例えば、上述した光重合型フォトポリマからなる層である。
【００５２】
また、図３Ｃに示したように、ガラス板７３ａの表面には、例えば、コート層７５が設けられている。コート層７５は、例えば、フッ素またはシリコーンを含有する層である。コート層７５は、具体的には、例えば、フッ素樹脂などからなる層である。フッ素樹脂としては、例えば、ポリテトラフルオロエチレン（ＰＴＦＥ）、テトラフルオロエチレン・パーフルオロアルキルビニルエーテル共重合体（ＰＦＡ）、テトラフルオロエチレン・ヘキサフルオロプロピレン共重合体（ＦＥＰ）、テトラフルオロエチレン・エチレン共重合体（ＥＴＦＥ）、ポリビニリデンフルオライド（ＰＶＤＦ）、ポリクロロトリフルオロエチレン（ＰＣＴＦＥ）などが挙げられる。
【００５３】
後述するように、第２の記録領域Ｒ２は、例えば、転写部６１の上面Ｆｓから、基体１０のクランピングエリアＣＬに、第２の情報記録体１２を構成する材料が転写されることにより形成される。すなわち、コート層７５は、転写部６１の上面Ｆｓに対する、第２の情報記録体１２を構成する材料の剥離性を高めるために、ガラス板７３ａの表面に設けられている。
【００５４】
なお、クランピングエリアＣＬへの第２の情報記録体１２の配置とともに、第２の情報記録体１２に対する情報の記録を行う場合、コート層７５の光透過性が高いことが好ましい。
【００５５】
図３Ａにおいて破線により示したように、例えば、ホログラム層７１には、第２の情報記録体１２に記録しようとする情報が、ホログラム画像としてあらかじめ記録されている。図３Ａでは、記録媒体１の製造者のロゴが、反射型の体積ホログラムとして転写部６１のホログラム層７１に記録された構成例を示している。以下、転写部６１のホログラム層７１に対する、ホログラム画像の記録方法の一例について説明する。
【００５６】
図４Ａおよび図４Ｂは、転写部のホログラム層に対する、ホログラム画像の記録方法の一例を示す概略図である。図４Ａは、転写部６１を上面からみた図に対応し、図４Ｂは、転写部６１を側面方向からみた断面図に対応する。以下では、説明の便宜上、ＸＹＺ直交座標において、原版の上面Ｆｓに平行な面をＸＹ面とし、原版の基部から転写部に向かう方向を＋Ｚ方向とする。
【００５７】
転写部６１のホログラム層７１に対する、ホログラム画像の記録を行うために、まず、例えば、参照光の入射角度を４５°、物体光の入射角度を１８０°としてホログラム記録がなされた反射型の体積ホログラムＨi（ｉ＝０，１，２，…）が用意される。なお、これらの体積ホログラムＨiに対するホログラム画像の記録は、例えば、波長が約５３２ｎｍの緑色レーザ光を使用して行われたものとする。
【００５８】
次に、図４Ａに示すように、これらの体積ホログラムＨiが、転写部６１の円環状の形状に対応して、円環状に配置される。このとき、転写部６１の中央かつＺ≒（ｒ１＋ｒ２）／２なる方向から放射状に照明光が照射されたときに、複数個の体積ホログラムＨiのそれぞれからホログラム画像が再生されるように、複数個の体積ホログラムＨiのそれぞれの配置が調整される。さらに、これらの体積ホログラムＨiと転写部６１とが、直接またはインデックスマッチング液を介して密着させられる。
【００５９】
次に、複数個の体積ホログラムＨiおよび転写部６１に対して、緑色レーザ光が照射される。緑色レーザ光は、例えば、円環状とされた転写部６１の中央かつＺ＜０の位置に配置された光源７７から出射される。光源７７から出射された緑色レーザ光は、例えば、転写部６１の上方に配置された円錐形のミラー７９に反射されることにより、複数個の体積ホログラムＨiおよび転写部６１に入射する。
【００６０】
なお、ミラー７９の円錐形状の母線のＺＸ面への射影とＺ軸とのなす角度は、およそ６７．５°に設定されている。そのため、複数個の体積ホログラムＨiのそれぞれに対しては、図４Ｂに示すように、ミラーの裏側に配置された仮想光源ＶＳから緑色レーザ光が照射されたかのような状態となる。したがって、複数個の体積ホログラムＨiのそれぞれから、記録されているホログラム画像に関する再生光が、＋Ｚ方向へ向けて出射される。
【００６１】
すると、複数個の体積ホログラムＨiのそれぞれからの再生光（物体光）と、ミラー７９に反射された緑色レーザ光（参照光）とが、転写部６１のホログラム層７１内で干渉することとなり、転写部６１のホログラム層７１に干渉パターンが記録される。言い換えれば、複数個の体積ホログラムＨiのそれぞれに記録されているホログラム画像が、反射型のホログラムとして、転写部６１のホログラム層７１に複製される。
【００６２】
転写部６１のホログラム層７１に対する、複数個の体積ホログラムＨiのそれぞれに記録されているホログラム画像の複製が終了した後、複数個の体積ホログラムＨiは、転写部６１から剥離される。接着剤などにより転写部６１を基部６５に接合し、ガラス板７３ａの表面にコート層７５を形成することにより、図３Ａ〜図３Ｃに示す原版５１が得られる。
【００６３】
図５Ａ〜図５Ｄは、転写部に記録されたホログラム画像を再生させるための照明光の入射角と、転写部から出射される再生光の出射角との間の関係を示す概略図である。
【００６４】
例えば、図５Ａおよび図５Ｂに示すように、図４Ｂに示した仮想光源ＶＳと同様の配置にあるレーザ光源（図５Ａおよび図５Ｂにおいて、該光源を破線により示した。）から、照明光としての緑色レーザ光が、転写部６１の上面Ｆｓに向けて放射状に照射されたとする。
【００６５】
この場合、転写部６１に対して、転写部６１のホログラム層７１に対するホログラム画像の複製時における参照光の入射する方向とほぼ同様の方向から、照明光が入射することになる。したがって、図５Ａおよび図５Ｂに示すように、転写部６１のほぼ全ての領域から、ホログラム画像に関する再生光が出射される。なお、このときの再生光は、転写部６１から、Ｚ軸とほぼ平行に＋Ｚ方向に向けて出射される。
【００６６】
ここで、例えば、図５Ｃに示すように、＋Ｙ方向に向けて進行する緑色レーザの平行光が、転写部６１の上面Ｆｓに対して４５°の角度で照射された場合を想定する。
【００６７】
この場合、図５Ｃに示すように、転写部６１のうち、緑色レーザの平行光の入射する方向がホログラム画像の複製時における参照光の入射する方向とほぼ同様となる領域からは、ホログラム画像に関する再生光が出射される。一方、転写部６１のうちの他の領域からは、ホログラム画像に関する再生光は出射されない。すなわち、転写部６１を上方から観察すると、図５Ｄに示すように、転写部６１のうち、照明光としての緑色レーザ光の入射する方向に応じた領域から、記録されたホログラム画像が再生される。なお、図５Ｄでは、再生されたホログラム画像を網掛けにより示した。
【００６８】
（１−２−２．第２の情報記録体の転写および第２の情報記録体への情報の記録）
次に、基体１０のクランピングエリアＣＬへの第２の情報記録体１２を構成する材料の配置の工程と、第２の情報記録体１２に対する情報の記録の工程とについて説明する。第２の情報記録体１２への情報の記録は、例えば、原版５１の転写部６１にあらかじめ記録された情報を、第２の情報記録体１２に複製することにより行われる。
【００６９】
図６Ａ〜図６Ｃならびに図７Ａ〜図７Ｃは、第１の実施形態にかかる記録媒体の製造方法の一例を示す概略図である。
【００７０】
クランピングエリアＣＬへの第２の情報記録体１２を構成する材料の配置に際しては、例えば、図６Ａに示すように、まず、転写部６１の上面Ｆｓに、第２の情報記録体１２を構成する材料が塗布される。転写部６１の上面Ｆｓに塗布される、第２の情報記録体１２を構成する材料としては、典型的には、光重合型フォトポリマが挙げられる。
【００７１】
第２の情報記録体１２を構成する材料は、転写部６１の上面Ｆｓの形状にあわせて、転写部６１の上面Ｆｓ上に、円環状に塗布される。このとき、第２の情報記録体１２を構成する材料は、未硬化または半硬化の状態（以下、この状態をウェット状態と適宜称する。）である。
【００７２】
次に、内部に第１の情報記録体１１の配置された基体１０に対して、転写部６１の上面Ｆｓに第２の情報記録体１２を構成する材料の塗布された原版５１が対向させられる。このとき、例えば、基体１０の裏面Ｂｓ側のクランピングエリアＣＬと、転写部６１の上面Ｆｓに塗布された第２の情報記録体１２を構成する材料とが、対向する。
【００７３】
次に、図６Ｂに示すように、基体１０に対して原版５１が押しつけられる。基体１０に対して原版５１が押しつけられることにより、ウェット状態の光重合型フォトポリマが、基体１０の裏面Ｂｓ側のクランピングエリアＣＬに密着させられる。
【００７４】
次に、図６Ｃに示すように、基体１０を介して、例えば、＋Ｙ方向に向けて進行する緑色レーザの平行光が、第２の情報記録体１２を構成する材料および転写部６１に照射される。このとき、基体１０に対する緑色レーザ光の入射角は、転写部６１に対する緑色レーザ光の入射角がほぼ４５°となるように設定される。
【００７５】
緑色レーザ光の照射により、転写部６１からは、転写部６１のホログラム層７１に記録されているホログラム画像に関する再生光が出射される。したがって、転写部６１のホログラム層７１からの再生光（物体光）と、緑色レーザ光（参照光）とが、第２の情報記録体１２内で干渉することとなり、第２の情報記録体１２に干渉パターンが記録される。言い換えれば、転写部６１のホログラム層７１に記録されているホログラム画像が、第２の情報記録体１２に複製されることになる。
【００７６】
ここで、緑色レーザ光が、＋Ｙ方向に向けて進行するとともに、転写部６１の上面Ｆｓに対して４５°の角度で入射する場合、図５Ｃおよび図５Ｄを参照して説明したように、転写部６１から再生されるホログラム画像は、全体の一部分となる。すなわち、転写部６１のホログラム層７１に記録されているホログラム画像のうちの一部分が、第２の情報記録体１２に複製される。
【００７７】
そのため、基体１０および原版５１が連続的または間欠的に一定角度ずつ回転させられるとともに、基体１０および原版５１に対する緑色レーザの平行光の照射が行われる。このときの回転軸は、例えば円板形状とされる基体１０の中心を通り、ＸＹ面に垂直な軸である。基体１０および原版５１を連続的または間欠的に一定角度ずつ回転させながら緑色レーザの平行光の照射を行うことにより、転写部６１のホログラム層７１に記録されているホログラム画像の全部を、第２の情報記録体１２に順次複製していくことができる。
【００７８】
なお、緑色レーザ光の光源と基体１０との間に、扇形の開口の設けられたマスクを配置して、第２の情報記録体１２に対する、緑色レーザ光の照射を行うようにしてもよい。
【００７９】
第２の情報記録体１２に対する、転写部６１のホログラム層７１に記録されているホログラム画像の複製が完了すると、図７Ａに示すように、例えば、基体１０の孔部ＡＰから原版５１に向けて圧縮空気ＡＲが送り込まれる。基体１０の孔部ＡＰから原版５１に向けて圧縮空気ＡＲが送り込まれることにより、図７Ｂに示すように、基体１０と原版５１とが分離される。このとき、原版５１にコート層７５が設けられていることにより、転写部６１の上面Ｆｓから第２の情報記録体１２を構成する材料が剥離され、第２の情報記録体１２を構成する材料が、基体１０のクランピングエリアＣＬに転写される。すなわち、内部に第１の情報記録体１１の配置された基体１０のクランピングエリアＣＬに、第２の情報記録体１２が配置されることになる。
【００８０】
なお、第２の情報記録体１２を構成する材料を、転写部６１の上面Ｆｓから基体１０のクランピングエリアＣＬに転写することにかえ、基体１０のクランピングエリアＣＬに、第２の情報記録体１２を構成する材料をあらかじめ塗布するようにしてもよい。
【００８１】
第２の情報記録体１２を構成する材料の、基体１０のクランピングエリアＣＬへの転写の後、必要に応じて、第２の情報記録体１２に対して、記録画像を定着させるための紫外線照射や加熱といった後処理が施される。また、必要に応じて、第２の情報記録体１２の表面へのルーバー１５の配置や保護層の形成が行われる。以上により、図７Ｃに示すように、本開示の実施形態にかかる記録媒体１が得られる。
【００８２】
なお、上述した例では、第２の情報記録体１２への情報の記録において、クランピングエリアＣＬに配置された第２の情報記録体１２が、面単位で露光される。クランピングエリアＣＬに配置された第２の情報記録体１２を面単位で露光することにかえて、第２の情報記録体１２を線単位または点単位で露光することも可能である。
【００８３】
図８Ａおよび図８Ｂは、第２の情報記録体に対する露光を線単位で行う場合の概略を示す図である。
【００８４】
図８Ａおよび図８Ｂに示すように、例えば、レーザ光源９１から出射されたレーザ光は、ビームエキスパンダ９３で拡大された後、シリンドリカルレンズの組９５などでほぼ線状に集光される。この場合、ほぼ線状に形成されたレーザ光（平行光）による露光領域は、Ｙ軸にそった線状の領域となる。したがって、光学系８１からのレーザ光の照射のもとで、基体１０が主面に平行な面内で３６０°回転させられることにより、第２の情報記録体１２への情報の記録が完了する。
【００８５】
図８Ｃおよび図８Ｄは、基体の回転に伴い、転写部のホログラム層に記録されているホログラム画像が第２の情報記録体に複製されていく様子を示す概略図である。図８Ｃおよび図８Ｄでは、記録媒体１のクランピングエリアＣＬ以外の図示を省略した。
【００８６】
図８Ｃおよび図８Ｄは、第２の情報記録体１２に記録されていく情報量の変化を、絵柄の変化として表した模式図である。図８Ｃおよび図８Ｄにおいては、露光領域を破線ＥＸで示した。
【００８７】
図８Ｄに示す状態における、基体１０の回転角は、図８Ｃに示す状態における、基体１０の回転角よりも大である。図８Ｃおよび図８Ｄに示すように、基体１０が線状の露光領域に対して相対的に回転していくことにより、転写部６１のホログラム層７１に記録されたホログラム画像が、第２の情報記録体１２に順次複製される。
【００８８】
［１−３．第２の情報記録体からの情報の再生］
以下、記録媒体から観察されるホログラム画像の例について説明するが、説明の便宜上、いくつかの変数を定義しておくこととする。
【００８９】
図９Ａは、記録媒体および光源に対して設定された座標系を示す図である。これまでの説明においては、原版がＸＹＺ直交座標系にあるものとして説明を行ってきたが、記録媒体を照明する光源および記録媒体に対しても同様に、Ｘ軸、Ｙ軸およびＺ軸を想定する。
【００９０】
図９Ａに示すように、記録媒体１の表面Ｔｓに平行な面をＸＹ面とし、記録媒体１の裏面Ｂｓから表面Ｔｓに向かう方向を＋Ｚ方向にとる。Ｚ軸は、記録媒体１の中心を通るものとする。記録媒体１に対するＸ軸の方向およびＹ軸の方向は、基体１０のクランピングエリアＣＬへの第２の情報記録体１２を構成する材料の転写時における、Ｘ軸の方向およびＹ軸の方向とそれぞれ一致するものとする。
【００９１】
ここで、記録媒体１の主面上に固定された点ｐを想定し、点ｐと記録媒体１の中心とを結ぶ線分ｍｒを想定する。Ｘ軸、Ｙ軸およびＺ軸は固定とし、Ｚ軸を回転軸とする記録媒体１の回転角を、Ｘ軸と線分ｍｒとのなす角αにより表すこととする。
【００９２】
記録媒体１に対して照明光を照射する光源８２の位置は、必要に応じて、Ｘ軸から測った方位角φおよびＺ軸から測った天頂角θの組により表すこととする。
【００９３】
図９Ｂ〜図９Ｄは、記録媒体の中心と光源との相対位置関係を固定した状態で記録媒体を回転させたときに記録媒体から観察されるホログラム画像の例を示す概略図である。なお、図９Ｂ〜図９Ｄでは、記録媒体１のクランピングエリアＣＬ以外の図示を省略した。
【００９４】
図９Ｂ〜図９Ｄでは、（φ，θ）＝（２７０°，４５°）の方向に配置された光源からの白色光により、記録媒体１が照明された状態が示されている。言い換えれば、記録媒体１の表面Ｔｓと照明光の光軸とのなす角度は、４５°に設定されている。
【００９５】
このような照明のもとでは、記録媒体１の観察者は、図９Ｂに示すように、第２の記録領域Ｒ２のうち、｜Ｘ｜＜εかつＹ＞０の領域（ε＞０とする。）から再生されたホログラム画像を観察することができる。
【００９６】
次に、図９Ｂに示す状態からαが増加させられたとする。すなわち、記録媒体１が正方向に回転させられたとすると、記録媒体１の観察者には、図９Ｃに示すように、図９Ｂに示す場合とは異なったホログラム画像が観察されることになる。なお、この場合においても、ホログラム画像の再生される領域は、第２の記録領域Ｒ２のうち、｜Ｘ｜＜εかつＹ＞０の範囲である。
【００９７】
次に、さらにαが増加させられたとすると、記録媒体１の観察者には、図９Ｄに示すように、図９Ｂに示す場合および図９Ｃに示す場合とは異なったホログラム画像が観察される。このときも、ホログラム画像の再生される領域は、第２の記録領域Ｒ２のうち、｜Ｘ｜＜εかつＹ＞０の範囲である。
【００９８】
このように、第１の実施形態では、記録媒体の回転中心と照明光源との相対位置関係が固定された状態で記録媒体が照明光源により照明されたときに、第２の情報記録体のうち、基体の回転角に応じた部分から、情報が再生される。
【００９９】
上述したように、第１の実施形態では、クランピングエリアに配置された第２の情報記録体が、複数の領域に分割されて順次露光される。したがって、第２の情報記録体に対するホログラム画像の複製時における参照光の入射方向と対応した方向から記録媒体を照明して記録媒体を回転させると、照明光の入射方向と対応した領域から、ホログラム画像が順次再生される。
【０１００】
なお、これまでの説明から明らかなように、図４Ｂに示す仮想光源ＶＳと同様の配置にある光源から、記録媒体１の表面Ｔｓに向けて放射状に照明光を照射すれば、第２の記録領域Ｒ２の全面から、ホログラム画像を再生させることももちろん可能である。
【０１０１】
［１−４．角度選択性ホログラフィック原版を使用した画像データの記録］
これまでの説明では、原版にあらかじめ記録された情報を第２の情報記録体に複製することにより、第２の情報記録体に対する情報の記録を行う構成例を示した。本開示では、原版の仕様を適宜に変更して、第２の情報記録体を線単位または点単位で順次露光することにより、第２の情報記録体に対して、情報を画像データとして直接的に記録していくことも可能である。
【０１０２】
（１−４−１．角度選択性ホログラフィック原版）
一方向から入射する光線を使用して、第２の情報記録体に情報を直接的に記録するには、第２の情報記録体に情報の記録を行うための光が入射する領域の全面において、入射した光を特定の方向に強く回折させるためのホログラムが一様に記録された原版が使用される。あらかじめ定められた方向から入射した光を特定の方向にほぼ均一に回折させる光機能素子を、本開示では、「角度選択性ホログラフィック原版」と称することにする。
【０１０３】
角度選択性ホログラフィック原版は、光の入射する領域の全面において、入射光に対する回折光強度および角度選択性が一様な原版（回折特性が一様な原版であるといってもよい。）として構成されている。すなわち、角度選択性ホログラフィック原版は、典型的には、特定の絵柄や文字などの記録されていないホログラフィック原版である。以下の説明により明らかとなるように、角度選択性ホログラフィック原版は、回折特性および拡散性能がほぼ均一とされることにより、領域を選択して部分的に光学的な複製を行うことを可能とする原版である。なお、“均一”とは、局所的な均一性ではなく、大局的な均一性をいう。
【０１０４】
図１０Ａは、転写部として適用できる角度選択性ホログラフィック原版の製造方法の一例を示す概略図である。
【０１０５】
原版の転写部を角度選択性ホログラフィック原版として構成とするには、図１０Ａに示すように、例えば、転写部６２のホログラム層のほぼ全面に対して、ホログラム層の両主面のそれぞれの側から、相互にコヒーレントなレーザ光を入射させる。このとき、例えば、一方のレーザ光（参照光に相当する。）は、図４Ｂに示した仮想光源ＶＳと同様の配置にある光源（図１０Ａにおいて、該光源を破線により示した。）から、転写部６２に対して放射状にレーザ光が照射された場合と同様な状態となるように設定する。他方のレーザ光（物体光に相当する。）は、参照光に相当するレーザ光とは反対の側から、転写部に入射するように設定する。すなわち、例えば、物体光に相当するレーザ光の入射角は、１８０°に設定される。
【０１０６】
転写部６２の両主面のそれぞれの側から入射した２つのレーザ光は、転写部６２のホログラム層において干渉する。したがって、転写部６２は、あらかじめ定められた方向から入射した光を特定の方向にほぼ均一に回折させるためのホログラムが一様に記録されたホログラフィック原版となる。
【０１０７】
図１０Ｂは、転写部のホログラム層に記録されたホログラムを再生させるための照明光の入射角と、転写部から出射される再生光の出射角との間の関係を示す概略図である。
【０１０８】
図１０Ｂに示すように、図４Ｂに示した仮想光源ＶＳと同様の配置にある光源（図１０Ｂにおいて、該光源を破線により示した。）から、原版５２に備えられた転写部６２に対して放射状に照射される照明光により、転写部６２を照明したとすると、再生光は、＋Ｚ方向に向けて出射される。
【０１０９】
図１０Ｃは、図４Ｂに示す仮想光源と同様の配置にある光源から転写部に対して放射状に照射される照明光により照明された転写部を、上方から観察したときに、転写部から観察される画像の例を示す概略図である。
【０１１０】
例えば、図４Ｂに示した仮想光源ＶＳと同様の配置にある光源から転写部６２を照明して、上方から転写部６２を観察すると、転写部６２の観察者は、転写部６２のホログラム層に記録されたホログラムを確認することができる。すなわち、例えば、緑色レーザを使用してホログラムの記録を行った場合、所定の方向からの緑色レーザ光の照明のもとでは、転写部６２の全面が緑色に見えることになる。なお、図１０Ｃでは、転写部６２を観察したときに緑色に見える領域を網掛けにより示した。
【０１１１】
図１０Ｄは、第２の情報記録体に対する情報の記録の原理を示す概略図である。図１０Ｄは、転写部６２の上面Ｆｓ上に塗布された、第２の情報記録体１２を構成する材料と、原版５２の一部とを拡大して示す図である。なお、図１０Ｄでは、記録媒体のクランピングエリアＣＬに配置された第２の情報記録体１２のみを図示し、基体１０などの図示を省略した。
【０１１２】
図１０Ｄに示すように、例えば、画像データの記録用の照明光ＲＬが、転写部６２に対して４５°の角度で、原版５２および第２の情報記録体１２を構成する材料に入射したとする。なお、例えば、波長が約５３２ｎｍの緑色レーザにより、転写部６２のホログラム層にホログラム画像が記録されている場合、画像データの記録用の照明光ＲＬとしては、緑色レーザ光が選択される。
【０１１３】
第２の情報記録体１２を構成する材料を通過して転写部６２のホログラム層に到達した光は、角度選択性ホログラフィック原版として構成された転写部６２により回折されて、＋Ｚ方向に向かって、転写部６２から出射する。
【０１１４】
すると、画像データの記録用の照明光ＲＬと、角度選択性ホログラフィック原版として構成された転写部６２で回折して第２の情報記録体１２を構成する材料に向けて出射する光とが、第２の情報記録体１２内で干渉することになる。すなわち、転写部６２からの回折光（物体光）と、画像データの記録用の照明光ＲＬ（参照光）とが、第２の情報記録体１２内で干渉することとなり、第２の情報記録体１２に干渉パターンが記録される。
【０１１５】
転写部６２からの回折光（物体光）と、画像データの記録用の照明光ＲＬ（参照光）との間の干渉は、画像データの記録用の照明光ＲＬの入射した領域のうち、画像データの記録用の照明光ＲＬが転写部６２により回折された領域の近傍でのみ生じる。図１０Ｄでは、第２の情報記録体１２を構成する材料に入射する、画像データの記録用の照明光ＲＬと、転写部６２により回折された光とを網掛けにより示し、干渉の生じる領域Ωを濃い網掛けにより示している。
【０１１６】
このように、第２の情報記録体１２と近接した位置に、角度選択性ホログラフィック原版として構成された転写部６２を配置する。さらに、第２の情報記録体１２の所望の領域に向けて、所定の方向から、画像データの記録用の照明光ＲＬを照射することにより、第２の情報記録体１２における所望の領域の近傍にのみ干渉パターンを記録できる。このとき、第２の情報記録体１２および転写部６２に対して、画像データの記録用の照明光ＲＬとして、パルス発振により得られたレーザ光や変調されたレーザ光を照射することにより、第２の情報記録体１２に文字や図形などを記録することができる。言い換えれば、例えば、角度選択性ホログラフィック原版として構成された転写部を備える原版を使用することにより、第２の情報記録体１２の所望の領域を選択的に露光し、所望の情報を反射型のホログラム画像のパターンとして記録していくことができる。
【０１１７】
（１−４−２．第２の情報記録体に記録される画像データの態様の例）
図１１Ａおよび図１１Ｂは、第２の情報記録体に対する、バーコードの記録方法の一例を示す概略図である。
【０１１８】
図１１Ａおよび図１１Ｂでは、レーザ光源９１とビームエキスパンダ９３との間にシャッタ９７が配置された光学系８３の構成例を示している。シャッタ９７の開閉に伴い、第２の情報記録体１２に対しては、ほぼ線状に成形された光が、間欠的に照射される。
【０１１９】
シャッタ９７の開閉を制御することにより、基体１０のクランピングエリアＣＬへの第２の情報記録体１２を構成する材料の配置の際、例えば、基体１０を回転させながら、ほぼ線状に成形されたレーザ光を第２の情報記録体１２に対して間欠的に照射することができる。基体１０を回転させながら、ほぼ線状に成形されたレーザ光を第２の情報記録体１２に対して間欠的に照射することにより、第２の情報記録体１２に対して、画像データとしてのバーコードを記録することができる。
【０１２０】
図１１Ｃは、第２の情報記録体に記録される、ホログラム画像としてのバーコードの構成例を示す概略図である。なお、図１１Ｃでは、記録媒体３のクランピングエリアＣＬ以外の図示を省略した。
【０１２１】
ほぼ線状に成形されたレーザ光が間欠的に照射されることにより第２の情報記録体１２に記録されるバーコードは、径方向に延長する複数のバーが円環状に配列された形態となり、したがって、第２の情報記録体１２に記録されるバーコードは、周方向にそって情報をもつ。
【０１２２】
さらに、図１１Ｃに示すバーコードは、所定の方向から照明されたときに再生されるホログラム画像として第２の情報記録体１２に記録されている。なお、図１１Ｃでは、説明の便宜のため、径方向に延長する複数のバーが全て再生されているものとして図示した。
【０１２３】
図１１Ｄは、ホログラム画像として第２の情報記録体に記録されたバーコードの読み取り方法の一例を示す概略図である。
【０１２４】
例えば、バーコードの記録時と同様に、＋Ｙ方向に延長するほぼ線状に成形されたレーザ光を、第２の情報記録体１２に対して４５°の角度で入射するようにして記録媒体３に照射したとする。すると、レーザ光の照射されている領域に、ホログラム画像としてのバーが記録されていれば、第２の情報記録体１２に入射したレーザ光は、＋Ｚ方向に向けて回折される。一方、レーザ光の照射されている領域に、ホログラム画像としてのバーが記録されていなければ、第２の情報記録体１２に入射したレーザ光の＋Ｚ方向に向けての回折は起こらない。
【０１２５】
したがって、例えば、図１１Ｄに示すように、記録媒体３の第２の記録領域Ｒ２のうち、照明光としてのレーザ光の照射領域と対向するように光検出器１１９を配置しておく。そして、記録媒体３を回転させながら、記録媒体３の第２の記録領域Ｒ２に所定の角度方向からレーザ光を照射することにより、第２の情報記録体１２に記録されたバーコードのパターンに応じた信号を光検出器１１９で取得することができる。記録媒体３に対する、レーザ光源および光検出器１１９の配置は、転写部６２の仕様を適宜に変更することで、任意に設定することが可能である。
【０１２６】
ところで、第２の情報記録体１２に記録された、ホログラム画像としてのバーコードは、例えば、所定の角度方向から記録媒体３を照明することで、目視により確認することも可能である。光検出器１１９によるパターンの検出の場合には、回折光の有無を光検出器１１９により捉えられればよいため、第２の情報記録体１２に記録された情報は、必ずしも白色光により再生可能とされる必要はない。
【０１２７】
図１２Ａおよび図１２Ｂは、第２の情報記録体に対して画像データを記録するための光学系の他の構成例を示す概略図である。
【０１２８】
図１２Ａおよび図１２Ｂでは、ビームエキスパンダ９３とシリンドリカルレンズの組９５との間に、光変調素子９９が配置された光学系８５の構成例を示している。図１２Ａおよび図１２Ｂに示すように、レーザ光源９１から出射されたレーザ光は、ビームエキスパンダ９３により拡大され、光変調素子９９に入射する。光変調素子９９に入射したレーザ光は、光変調素子９９により変調される。光変調素子９９に入射したレーザ光は、光変調素子９９により変調された後、シリンドリカルレンズの組９５により平行光とされて第２の情報記録体１２に入射する。
【０１２９】
光変調素子９９は、例えば、ドライバに入力される制御信号に応じて駆動される液晶パネルである。液晶パネルに表示される画像を順次切り替えていくことにより、液晶パネルの各画素におけるレーザ光の透過および遮断を切り替えることができる。例えば、光変調素子９９により、ビームエキスパンダ９３で拡大されたレーザ光を、記録媒体の径方向に関して変調することができる。
【０１３０】
図１２Ｃは、第２の情報記録体に記録される、ホログラム画像としてのバーコードの他の構成例を示す概略図である。なお、図１２Ｃでは、記録媒体５のクランピングエリアＣＬ以外の図示を省略した。
【０１３１】
光変調素子９９により、例えば、ビームエキスパンダ９３で拡大されたレーザ光を記録媒体５の径方向にそった方向に関して変調すれば、図１２Ｃに示すように、円環状のバーコードを複数の円環状のバーコードの群とすることもできる。円環状のバーコードを複数の円環状のバーコードの群として構成することにより、図１１Ｃに示した場合と比較して、より多くの情報を第２の情報記録体１２に記録することができる。
【０１３２】
なお、画像データの記録用の照明光を生成させるための光学系にシャッタ９７や光変調素子９９を含ませることにかえ、光学系と第２の情報記録体１２との間に、所望の形状の開口の設けられたマスクを配置するようにしてもよい。記録媒体の回転とともに、例えば、複数個用意されたマスクを切り替えたり、マスクの開口の位置をずらしたりすることにより、所望のパターンを第２の情報記録体１２に記録することもできる。
【０１３３】
ところで、ＤＶＤや「Ｂｌｕ‐ｒａｙ  Ｄｉｓｃ（登録商標）」など、データ容量の比較的大きな光ディスクには、コンテンツや著作権などの保護を目的として、暗号キー（メディアキーブロック（ＭＫＢ：Media Key Block）と呼ばれる。）や、光ディスクの１枚１枚に固有のＩＤ（identification data）（メディアＩＤと呼ばれる。）が与えられている。
【０１３４】
ＭＫＢやメディアＩＤは、第１の記録領域Ｒ１の内径の近傍のリードインエリアに、バーコード状のパターンとして記録される。ＭＫＢやメディアＩＤの記録された領域は、バーストカッティングエリア（ＢＣＡ：Burst Cutting Area）またはナローバーストカッティングエリア（ＮＢＣＡ：Narrow Burst Cutting Area）と呼ばれる。
【０１３５】
図１２Ｄは、第１の記録領域にメディアＩＤを含む情報が記録されるとともに、第２の記録領域にホログラム画像としてのバーコードが記録された記録媒体の構成例を示す概略図である。なお、図１２Ｄでは、第１の記録領域Ｒ１を網掛けにより示した。
【０１３６】
例えば、記録媒体６が、ＭＫＢやメディアＩＤを備える場合、図１２Ｄに示すように、例えば、バーコードなどの態様により、ＭＫＢやメディアＩＤと関連づけられた情報を第２の情報記録体１２にホログラム画像として記録することができる。第２の情報記録体１２に記録される情報をＭＫＢやメディアＩＤと関連づけておくことにより、例えば、再生しようとする記録媒体が真正なものであるかどうかを、ディスクプレーヤに判定させることも可能である。再生しようとする記録媒体が真正なものであるかどうかの判定は、例えば、ネットワークに接続されたデータベースに対する照会などにより行わせることも可能である。また、例えば、海賊版と判定されたディスクを再生しないように、外部からディスクプレーヤに指令を与えたり、プログラムや音楽の記録された記録媒体を再生することに対して、データベースと課金情報をやり取りさせたりすることも可能である。
【０１３７】
または、例えば、第２の情報記録体１２に、第１の情報記録体１１に記録されたコンテンツの再生に必要とされる情報または第１の情報記録体１１に対するコンテンツの記録に必要とされる情報をホログラフィックに記録しておいてもよい。すなわち、第２の情報記録体１２に記録される情報が、コンテンツ再生のための復号鍵またはコンテンツ記録のための暗号鍵の一部であってもよい。
【０１３８】
第２の情報記録体１２に記録された情報を、例えば、光検出器などにより読み取らせる場合には、ディスクプレーヤの内部において、情報を再生させるための照明光源、記録媒体および光検出器の相対位置関係を適切なものとしておく必要がある。言い換えれば、照明光源、記録媒体および光検出器の配置自体も、復号鍵または暗号鍵の一部を構成しうる。したがって、第２の情報記録体１２に対して、第１の情報記録体１１に記録される情報と関連づけられた情報を記録することにより、光ディスクなどの不正なコピーを防止し、記録媒体のコンテンツ保護機能を向上させることができる。
【０１３９】
図１２Ａ〜図１２Ｄでは、光変調素子により、レーザ光を記録媒体の径方向に関して変調して、第２の情報記録体１２に複数の円環状のバーコードの群を記録する構成例を示したが、第２の情報記録体１２に記録される画像データは、この例に限られない。例えば、レーザ光を記録媒体の径方向に関して変調することにより、製造される記録媒体の１枚１枚を識別するための識別情報をレーザ光に重畳させることも可能である。例えば、光変調素子を使用して、記録媒体の径方向に関してレーザ光を変調することにより、シリアル番号やロット番号などを第２の情報記録体１２にホログラム画像として記録することももちろん可能である。
【０１４０】
光変調素子により、レーザ光を記録媒体の径方向に関して変調することにかえ、点状の光源を線状に配列して、個々の光源のオンおよびオフを制御することにより、点描のようにして、第２の情報記録体１２に画像データを記録するようにしてもよい。
【０１４１】
上述した例では、ほぼ線状に成形されたレーザ光により、第２の情報記録体１２の露光が行われる構成例を示したが、点状の光を走査して、第２の情報記録体１２の露光を行うこともできる。
【０１４２】
図１３Ａは、第２の情報記録体に対して画像データを記録するための他の構成例を示す概略図である。
【０１４３】
図１３Ａに示すように、画像データの記録用の照明光を照射するための光学系８７が、レーザ光源９１と、光変調器１０１と、シャッタ９７と、ガルバノスキャナ（ガルバノメータスキャナなどとも呼ばれる。）１０３と、ｆθレンズ（エフシータレンズ）と呼ばれるレンズ群１０５とを含む構成とされてもよい。
【０１４４】
図１３Ａに示す構成例では、ガルバノスキャナ１０３などによりスポット状の光を走査して、図１３Ａにおいて矢印Ｓ１により示したように、画像データの記録用の照明光の照射領域を移動させるようにしている。ガルバノスキャナ１０３にかえて、レゾナントスキャナや、いわゆるポリゴンミラーなどを使用してもよい。ｆθレンズとしては、例えば、テレセントリックfθレンズが好適である。
【０１４５】
ここで、光変調器１０１は、情報を光の信号に変換するための変調器である。光変調器１０１としては、例えば、電気光学変調器（ＥＯ変調器：electrooptical modulator）、音響光学変調器、熱光学効果を利用した光スイッチ、フォトニック結晶を用いた光スイッチ、非線形光学効果を利用した光スイッチなどが挙げられる。なお、光変調器１０１として、例えば音響光学変調器を適用した場合には、強度変調（アナログ変調またはデジタル変調）により、画像データとして、例えば、文字や図形以外の絵柄なども第２の情報記録体１２に記録することが可能である。
【０１４６】
レーザ光源９１から出射されたレーザ光に対して、光変調器１０１により制御を加えるとともに、スポット状の光を走査することにより、第２の情報記録体１２を点状に順次露光して、第２の情報記録体１２にバーコードなどの画像データを記録することができる。なお、記録媒体の基体が円板形状である場合には、周速度が半径に依存するため、スポット状の光の走査速度が、回転中心からの距離に応じて調整されることが好ましい。
【０１４７】
図１３Ｂは、第２の情報記録体に記録される画像データの一例を示す概略図である。なお、図１３Ｂでは、記録媒体７のクランピングエリアＣＬ以外の図示を省略した。
【０１４８】
基体を回転させながら、光変調器１０１により変調されたレーザ光を走査して、第２の情報記録体１２を点状に順次露光することにより、図１３Ｂに示すように、例えば、識別情報や絵柄などの組み合わせなどを第２の情報記録体１２に記録することもできる。
【０１４９】
このように、第２の情報記録体１２に対する情報の記録時に角度選択性ホログラフィック原版を使用することにより、第２の情報記録体１２の所望の領域を選択的に露光することができ、あたかもレーザマーキングのようにして、画像データの記録を行うことができる。
【０１５０】
図１３Ｃは、ホログラム画像として第２の情報記録体に記録された画像データの読み取り方法の一例を示す概略図である。
【０１５１】
図１３Ａに示す構成例では、第２の情報記録体１２の主面に対してほぼ垂直に、画像データの記録用の照明光が入射する。したがって、第２の情報記録体１２に記録された画像データを再生させる際には、例えば、第２の情報記録体１２の主面に対してほぼ垂直に、例えば、記録媒体７の径方向にそってほぼ線状に成形されたレーザ光を第２の情報記録体１２に照射すればよい。
【０１５２】
この場合、第２の情報記録体１２に記録された画像データに関する再生光は、図４Ｂに示す仮想光源ＶＳの方向に向けて出射される。すなわち、第２の情報記録体１２に記録された画像データに関する再生光は、第２の情報記録体１２の主面に対して、４５°の角度をもって記録媒体７の回転軸に向けて出射される。そのため、光検出器により、第２の情報記録体１２に記録された画像データを読み取らせる場合には、図４Ｂに示す仮想光源ＶＳと同様の位置に、光検出器を配置しておけばよい。
【０１５３】
以上に説明したように、本開示では、光ディスクなどの基板上に、光重合型フォトポリマなどの記録材料が直接的に配置される。さらに、光ディスクなどの基板上に直接的に配置された記録材料に対して、一般的な３次元画像データや、バーコードやシリアル番号などの２次元画像データが、ホログラム画像として記録される。すなわち、光ディスクなどの基板上に、直接的に体積ホログラムが形成されることとなる。
【０１５４】
したがって、光ディスクなどの記録媒体自体やケースなどにホログラムシールを貼りつける場合とは異なり、画像データの記録されたホログラムを簡単に除去したり、不正にコピーしたりすることは困難である。このように、本開示によれば、光ディスクなどの記録媒体に対して、真贋判定機能および高いセキュリティ性を付与することができる。
【０１５５】
さらに、本開示によれば、光ディスクなどの基板上に、直接的に形成された体積ホログラムに画像データが記録されるので、例えば、３次元画像データなどをホログラム画像として記録材料に記録することにより、光ディスクなどの意匠性を高めることができる。すなわち、本開示によれば、光ディスクなどの記録媒体に、高度なセキュリティ性や高い意匠性などの付加価値を与えて、光ディスクなどの記録媒体の商品価値をさらに向上させることができる。
【０１５６】
また、例えば、本開示によれば、光ディスクの１枚１枚に固有のＩＤと関連づけられた情報をホログラム画像として光ディスク自体に記録することができる。そのため、光ディスクの１枚１枚に固有のＩＤと関連づけられた情報を利用した新しい機能の提供も可能となり、光ディスクなどの記録媒体を、さらに応用性にすぐれた記録媒体とすることができる。
【０１５７】
＜２．第２の実施形態＞
上述したように、本開示では、原版の仕様を適宜に変更することにより、第２の情報記録体に記録された情報を再生させるための照明光の入射方向および第２の情報記録体に記録された情報に関する再生光の出射方向を、任意に設定することができる。
【０１５８】
第１の実施形態では、記録媒体の回転中心と照明光源との相対位置関係が固定された状態で記録媒体が照明光源により照明されたときに、第２の情報記録体のうち、基体の回転角に応じた部分から、情報が再生された。第２の実施形態は、基体の回転角により、第２の情報記録体の全面からの情報の再生の有無が切り替わる点で、第１の実施形態と異なっている。なお、第２の実施形態にかかる記録媒体を構成する各部材は、第１の実施形態にかかる記録媒体を構成する各部材とほぼ同様であるため、以下では説明を省略する。
【０１５９】
［２−１．記録媒体の製造方法の概略］
まず、例えば、原版の転写部にホログラム画像として記録された絵柄などを、第２の情報記録体に複製することにより、第２の情報記録体に対して情報の記録を行う場合を想定する。
【０１６０】
（２−１−１．原版の構成例）
図１４Ａ〜図１４Ｄは、転写部に記録されたホログラム画像を再生させるための照明光の入射角と、転写部から出射される再生光の出射角との間の関係を示す概略図である。
【０１６１】
第２の実施形態では、例えば、あらかじめ定められた角度方向から、コリメートされたレーザ光が転写部６３の上面Ｆｓの全面に対して照射されたときに、記録されているホログラム画像が転写部６３の全面から再生されるように構成された原版５３が使用される。
【０１６２】
例えば、図１４Ａ〜図１４Ｃに示すように、照明光としての緑色レーザ光が、転写部６３の上面Ｆｓの全面に対して、４５°の角度で転写部６３の全面に照射されたとする。このときの緑色レーザ光の光源は、例えば、Ｘ＝０かつＹ＞０かつＺ＞０の位置にある。
【０１６３】
すると、転写部６３のほぼ全ての領域から、ホログラム画像に関する再生光が出射される。このときの再生光の出射方向は、図１４Ａ〜図１４Ｃに示すように、例えば、＋Ｚ方向に設定される。
【０１６４】
したがって、転写部６３を上面から観察すると、図１４Ｄに示すように、転写部６３のほぼ全ての領域から、記録されたホログラム画像が再生される。図１４Ｄでは、第２の実施形態にかかる記録媒体の製造者のロゴが、反射型の体積ホログラムとして転写部６３のホログラム層に記録された構成例を示した。なお、図１４Ｄでは、再生されたホログラム画像を網掛けにより示した。
【０１６５】
（２−１−２．第２の情報記録体の転写および第２の情報記録体への情報の記録）
第２の実施形態においても、第２の記録領域は、例えば、第２の情報記録体を構成する材料が、転写部の上面から基体のクランピングエリアに転写されることにより形成される。また、転写部と、基体のクランピングエリアに転写された、第２の情報記録体を構成する材料とにレーザ光が照射されることにより、転写部に記録されている情報が、第２の情報記録体に複製される。第２の実施形態では、第２の情報記録体への情報の記録が、原版の仕様にあわせて面単位で一括して行われる点で、第１の実施形態と相違している。
【０１６６】
図１５Ａ〜図１５Ｃは、第２の実施形態にかかる記録媒体の製造方法の一例を示す概略図である。
【０１６７】
第２の情報記録体１２への情報の記録に際しては、図１５Ａに示すように、まず、第２の情報記録体１２を構成する材料が、転写部６３の上面Ｆｓに塗布される。なお、転写部６３の上面Ｆｓに対する、第２の情報記録体１２を構成する材料の剥離性を高めるために、転写部６３には、第１の実施形態の場合と同様にコート層が設けられる。
【０１６８】
次に、内部に第１の情報記録体１１の配置された基体１０に対して、転写部６３の上面Ｆｓに、第２の情報記録体１２を構成する材料の塗布された原版５３が対向させられる。さらに、基体１０に対して原版５３が押しつけられ、第２の情報記録体１２を構成する材料が、基体１０の裏面Ｂｓ側のクランピングエリアＣＬに密着させられる。
【０１６９】
次に、図１５Ｂおよび図１５Ｃに示すように、基体１０を介して、例えば、−Ｙ方向に向けて進行する緑色レーザの平行光が、第２の情報記録体１２を構成する材料および転写部６３に照射される。
【０１７０】
このとき、基体１０に対する緑色レーザ光の入射角は、原版５３の仕様にあわせて、転写部６３に対する入射角がほぼ４５°となるように設定される。また、緑色レーザ光は、第２の情報記録体１２を構成する材料の全面に、一括して照射される。なお、緑色レーザ光の照射時には、基体１０は回転されない。
【０１７１】
緑色レーザ光の照射により、転写部６３のほぼ全面から、転写部６３のホログラム層に記録されているホログラム画像に関する再生光が出射される。したがって、転写部６３のホログラム層からの再生光（物体光）と、緑色レーザ光（参照光）とが、第２の情報記録体１２内で干渉することとなり、第２の情報記録体１２に干渉パターンが一括して面単位で記録される。言い換えれば、転写部６３のホログラム層に記録されているホログラム画像が、第２の情報記録体１２に一括して面単位で複製される。
【０１７２】
第２の情報記録体１２に対する、転写部６３のホログラム層に記録されているホログラム画像の複製が完了した後、転写部６３の上面Ｆｓから第２の情報記録体１２を構成する材料が剥離される。したがって、第２の情報記録体１２を構成する材料が、基体１０のクランピングエリアＣＬに転写される。
【０１７３】
第２の情報記録体１２を構成する材料の、基体１０のクランピングエリアＣＬへの転写の後、必要に応じて、第２の情報記録体１２に対して、記録画像を定着させるための紫外線照射や加熱といった後処理が施される。また、必要に応じて、第２の情報記録体１２の表面へのルーバー１５の配置や保護層の形成が行われる。以上により、第２の実施形態にかかる記録媒体が得られる。
【０１７４】
なお、上述した例では、第２の情報記録体１２への情報の記録において、クランピングエリアＣＬに配置された第２の情報記録体１２の全面が、面単位で一括して露光される。クランピングエリアＣＬに配置された第２の情報記録体１２の全面を面単位で一括して露光することにかえて、第２の情報記録体１２を線単位または点単位で露光するようにしてもよい。
【０１７５】
例えば、照射領域が、クランピングエリアＣＬの直径よりも長くなるようにして、Ｙ軸方向にそってほぼ線状に成形されたレーザ光を、Ｘ軸方向にそって走査することにより、第２の情報記録体１２の全面を順次露光するようにしてもよい。または、例えば、点状に成形されたレーザ光を走査することにより、第２の情報記録体１２の全面を露光するようにしてもよい。
【０１７６】
［２−２．第２の情報記録体からの情報の再生］
図１６Ａは、記録媒体および光源に対して設定された座標系を示す図である。図１６Ｂ〜図１６Ｄは、記録媒体の中心と光源との相対位置関係を固定した状態で記録媒体を回転させたときに記録媒体から観察されるホログラム画像の例を示す概略図である。なお、図１６Ｂ〜図１６Ｄでは、記録媒体８のクランピングエリアＣＬ以外の図示を省略した。
【０１７７】
第２の実施形態にかかる記録媒体８の第２の記録領域Ｒ２からホログラム画像を再生させる場合には、（φ，θ）＝（９０°，４５°）の方向に照明光の光源が配置されるように設定する。図１６Ｂ〜図１６Ｄでは、（φ，θ）＝（９０°，４５°）の方向に配置された光源８４からの白色光により、記録媒体８が照明された状態が示されている。このとき、記録媒体８の表面Ｔｓと照明光の光軸とのなす角度は、４５°である。
【０１７８】
記録媒体８の第２の情報記録体１２に対する情報の記録においては、転写部６３の上面Ｆｓの全面に対して４５°の角度で照明光が照射されたときに、転写部６３のほぼ全ての領域から、ホログラム画像が再生される原版５３が使用された。したがって、原版５３からホログラム画像が複製された第２の情報記録体１２を備える記録媒体８も同様に、第２の情報記録体１２の全面に対して４５°の角度で照明光が照射されたときに、第２の記録領域Ｒ２のほぼ全ての領域から、ホログラム画像が再生される。
【０１７９】
すなわち、例えば、図１６Ｂ〜図１６Ｄに示すように、所定の角度方向からの照明光のもとで、記録媒体８を回転させて回転角αを変化させると、回転角αが、ある値となる付近でのみ、第２の記録領域Ｒ２のほぼ全ての領域から、ホログラム画像が再生される。本例では、第２の情報記録体１２への情報の記録の工程における光学系および第２の情報記録体１２の相対位置関係と、記録媒体８を照明する光源８４および記録媒体８の相対位置関係とがほぼ等しくなったときに、ホログラム画像が再生される。したがって、図１６Ｃに示す状態は、α≒０°の状態である。
【０１８０】
［２−３．角度選択性ホログラフィック原版を使用した画像データの記録］
（２−３−１．角度選択性ホログラフィック原版）
第２の実施形態においても、第１の実施形態と同様に、原版の転写部に角度選択性ホログラフィック原版を適用することにより、第２の情報記録体に対して、反射型のホログラムとしての画像データを記録することができる。
【０１８１】
図１７Ａは、転写部として適用できる角度選択性ホログラフィック原版の製造方法の他の一例を示す概略図である。
【０１８２】
例えば、図１７Ａに示すように、転写部６４のホログラム層のほぼ全面に対して、ホログラム層の両主面のそれぞれの側から、相互にコヒーレントなレーザ光を入射させる。このとき、例えば、入射面と光軸とのなす角が４５°となるようにして、−Ｙ方向に向けて進行する、コリメートされたレーザ光（参照光に相当する。）を、転写部６４の主面のうち、一方の主面の側に入射させる。さらに、例えば、転写部６４に対する入射角が１８０°となるようにして、コリメートされたレーザ光（物体光に相当する。）を、転写部６４の主面のうち、他方の主面の側に入射させる。
【０１８３】
転写部６４の両主面のそれぞれの側から入射した２つのレーザ光は、転写部６４のホログラム層において干渉する。したがって、転写部６４は、あらかじめ定められた方向から入射した光を特定の方向にほぼ均一に回折させるためのホログラムが一様に記録されたホログラフィック原版となる。
【０１８４】
図１７Ｂは、転写部のホログラム層に記録されたホログラムを再生させるための照明光の入射角と、転写部から出射される再生光の出射角との間の関係を示す概略図である。
【０１８５】
図１７Ｂに示すように、転写部６４の上面Ｆｓと光軸とのなす角が４５°となるようにして、−Ｙ方向に向けて進行する、コリメートされたレーザ光により、転写部６４を照明したとする。すると、再生光は、＋Ｚの方向に向けて出射される。
【０１８６】
図１７Ｃは、転写部の上面と光軸とのなす角が４５°とされるとともに、−Ｙ方向に向けて進行する、コリメートされたレーザ光により照明された転写部を観察したときに転写部から観察されるホログラムの一例を示す概略図である。
【０１８７】
所定の方向からの照明のもとで、原版５４に備えられた転写部６４の上面Ｆｓを観察すると、転写部６４の観察者は、転写部６４のホログラム層に記録されたホログラムを確認することができる。すなわち、例えば、緑色レーザを使用してホログラムの記録を行った場合、所定の方向からの緑色レーザ光の照明のもとで、転写部６４の全面が緑色に見える。なお、図１７Ｃでは、転写部６４を観察したときに緑色に見える領域を網掛けにより示した。
【０１８８】
なお、本例では、転写部６４の中心と緑色レーザ光の光源との相対位置関係を固定した状態で、転写部６４の主面と平行な面内で転写部６４を回転させると、転写部６４のホログラム層に記録されたホログラムが確認されなくなる。
【０１８９】
次に、第２の情報記録体１２と近接した位置に角度選択性ホログラフィック原版として構成された転写部６４を配置し、例えば、第１の実施形態の場合と同様にして、第２の情報記録体１２の所望の領域を選択的に露光する。第２の情報記録体１２に対する情報の記録時に角度選択性ホログラフィック原版を使用することにより、第２の情報記録体に１２おける所望の領域の近傍にのみ干渉を生じさせて、第２の情報記録体１２に直接的に画像データの記録を行うことができる。
【０１９０】
図１７Ｄおよび図１７Ｅは、第２の情報記録体に対して画像データを記録するための光源の構成例を示す概略図である。
【０１９１】
図１７Ｄおよび図１７Ｅに示す光学系８９は、例えば、ビームエキスパンダ９３と記録媒体の基体１０との間に配置された光変調素子１０７を備えている。なお、図１７Ｄおよび図１７Ｅでは、図が煩雑となることを避けるため、結像光学系の図示を省略した。
【０１９２】
レーザ光源９１から出射されたレーザ光は、ビームエキスパンダ９３により拡大された後、光変調素子１０７に入射する。光変調素子１０７は、例えば、液晶パネルであり、液晶パネルの画面には、第２の情報記録体１２にホログラム画像として記録しようとしている画像データに関する映像が表示されている。したがって、光変調素子１０７に入射したレーザ光は、光変調素子１０７により、面単位で一括して変調される。
【０１９３】
図１７Ｄおよび図１７Ｅに示すように、−Ｙ方向に向けて進行する、変調されたレーザ光は、転写部６４に対して４５°の角度で照射される。すると、第２の情報記録体１２を構成する材料を通過して転写部６４のホログラム層に到達した光は、角度選択性ホログラフィック原版として構成された転写部６４により回折されて、＋Ｚ方向に向かって転写部６４から出射する。変調されたレーザ光と、角度選択性ホログラフィック原版として構成された転写部６４で回折して第２の情報記録体１２を構成する材料に向けて出射する光とは、第２の情報記録体１２内において干渉する。したがって、第２の情報記録体１２に、画像データに関する干渉パターンが記録される。
【０１９４】
光変調素子１０７によりレーザ光を変調することにかえ、光学系と第２の情報記録体１２との間に、所望の形状の開口の設けられたマスクを配置するようにしてもよい。この場合、例えば、所望の形状の開口を有するマスクを使用することにより、所望のパターンを第２の情報記録体１２に記録することができる。
【０１９５】
なお、第２の情報記録体１２に対する画像データの記録後の記録媒体を、記録媒体の中心と照明光の光源との相対位置関係を固定した状態で、記録媒体を回転させながら観察したとする。すると、転写部６４と同様に、第２の情報記録体１２に記録されたホログラム画像は、記録媒体の回転角によって、見えたり見えなくなったりする。具体的には、第２の情報記録体１２への情報の記録の工程における、光学系８９および第２の情報記録体１２の相対位置関係と、記録媒体を照明する光源および記録媒体の相対位置関係とがほぼ等しくなったときに、ホログラム画像が再生される。
【０１９６】
以上に説明したように、本開示によれば、光ディスクなどの基体上に体積ホログラムを一体的に形成することができる。また、あらかじめホログラム画像の記録された原版を使用して、光ディスクなどの基体上に第２の情報記録体を配置するとともに第２の情報記録体を露光することにより、原版に記録されているホログラム画像を第２の情報記録体に複製することができる。さらに、原版の転写部として、角度選択性ホログラフィック原版を適用することにより、任意の画像データをホログラム画像として第２の情報記録体に記録することができる。
【０１９７】
本開示では、原版からの複製または選択的な露光により記録されるホログラム画像は、梱包ケースなどではなく光ディスクなどの記録媒体の本体に対して記録されるため、本開示にかかる記録媒体を、複製が困難な記録媒体とすることができる。なお、光ディスクの１枚１枚に固有のＩＤと関連づけられた情報を、光ディスクなどの基体上にある体積ホログラムに記録しておくことにより、梱包ケースなどに同封される、ＩＤの印刷された紙を不要とすることができる。
【０１９８】
＜３．変形例＞
以上、好適な実施形態について説明してきたが、好適な具体例は、上述した例に限定されるものではなく、各種の変形が可能である。
【０１９９】
上述した実施形態では、光ディスクなどのクランピングエリアに第２の情報記録体を構成する材料が配置される例を示したが、第２の情報記録体を構成する材料は、クランピングエリア以外の箇所に配置されてもよい。
【０２００】
また、上述した実施形態では、基体の裏面側に第２の情報記録体を構成する材料が配置される例を示したが、第２の情報記録体を構成する材料は、基体の表面側や基体の内部に配置されてもよい。
【０２０１】
図１８Ａおよび図１８Ｂは、基体の表面側に第２の情報記録体の配置された記録媒体の構成例を示す図である。
【０２０２】
図１８Ａでは、基体１０の表面Ｔｓ側のクランピングエリアＣＬ上に、ルーバー１５、第２の情報記録体１２および保護層１７が順に積層された記録媒体９ａの構成例を示している。図１８Ｂでは、基体１０の表面Ｔｓ側のクランピングエリアＣＬ上に、第２の情報記録体１２および保護層１７が順に積層されるとともに、基体１０の裏面Ｂｓ側のクランピングエリアＣＬ上にルーバー１５が配置された記録媒体９ｂの構成例を示している。
【０２０３】
保護層１７は、例えば、透明な樹脂からなる層である。保護層１７は、第２の情報記録体１２の保護を目的として、必要に応じて設けられる。
【０２０４】
図１８Ａおよび図１８Ｂに示すように、基体１０の表面Ｔｓ側の主面上に第２の情報記録体１２が配置されることに対応して、記録媒体９ａおよび記録媒体９ｂは、第２の記録領域Ｒ２を備えている。この場合、第２の情報記録体１２に記録された情報は、表面Ｔｓ側から、保護層１７を介して観察または読み取りがなされることになる。
【０２０５】
上述した実施形態では、第２の情報記録体１２に記録された情報が、例えば、専用の読み取り装置により、表面Ｔｓ側から読み取られる例を示したが、第２の情報記録体１２に記録された情報が、裏面Ｂｓ側から読み取られるようにされてもかまわない。
【０２０６】
図１８Ｃおよび図１８Ｄは、第２の情報記録体からの情報の読み取り方法の一例を示す概略図である。
【０２０７】
図１８Ｃでは、第１の情報記録体１１に記録された情報および第２の情報記録体１２に記録された情報が、ともに裏面Ｂｓ側から読み取られるように構成された記録媒体９ｃの例を示している。図１８Ｃに示す記録媒体９ｃは、基体１０の表面Ｔｓ側のクランピングエリアＣＬ上に、第２の情報記録体１２およびルーバー１５が順に積層された構成を有している。
【０２０８】
記録媒体９ｃのクランピングエリアＣＬに配置された第２の情報記録体１２に記録された情報の再生に際しては、図１８Ｃに示すように、第２の情報記録体１２に対して、あらかじめ定められた角度方向から照明光ＩＬが照射される。第２の情報記録体１２に記録されている情報は、図１８Ｃに示すように、あらかじめ定められた角度方向からの照明光ＩＬの照射により再生される。第２の情報記録体１２により回折された再生光ＤＬは、第２の情報記録体１２から記録媒体９ｃの裏面Ｂｓの側に向けて出射される。すなわち、図１８Ｃに示す構成においては、第２の情報記録体１２から再生されたホログラム画像は、第１の情報記録体１１から再生された情報と同様に、裏面Ｂｓ側から読み取られる。
【０２０９】
図１８Ｄに示す記録媒体９ｄは、基体１０の表面Ｔｓ側のクランピングエリアＣＬ上にルーバー１５が配置されるとともに、基体１０の裏面Ｂｓ側のクランピングエリアＣＬ上に、第２の情報記録体１２および保護層１７が順に積層された構成を有している。
【０２１０】
記録媒体９ｄのクランピングエリアＣＬに配置された第２の情報記録体１２に記録された情報の再生に際しては、図１８Ｄに示すように、第２の情報記録体１２に対して、あらかじめ定められた角度方向から照明光ＩＬが照射される。この場合、照明光ＩＬは、保護層１７を介して第２の情報記録体１２に照射され、第２の情報記録体１２から再生されたホログラム画像は、裏面Ｂｓ側から読み取られる。
【０２１１】
また、例えば、原版を複数個用意しておき、ディスク毎にそれらを入れ替えて使用するようにしてもよい。
【０２１２】
例えば、画像データとして、記録媒体の製造者名や一次元バーコード、二次元バーコードなどを第２の情報記録体に記録することもできる。
【０２１３】
なお、上述の実施形態において挙げた構成、方法、形状、工程、材料および数値などはあくまでも例に過ぎず、必要に応じてこれと異なる構成、方法、形状、工程、材料および数値などを用いてもよい。上述の実施形態の構成、方法、形状、工程、材料および数値などは、本開示の主旨を逸脱しない限り、互いに組み合わせることが可能である。
【０２１４】
例えば、本開示は以下のような構成もとることができる。
（１）
回転対称性を有する形状とされた基体と、
前記基体の内部に配置された第１の情報記録体と、
前記基体上に配置された第２の情報記録体と
を備え、
回転中心と照明光源との相対位置関係が固定された状態で前記照明光源により照明されたときに、前記第２の情報記録体のうち、前記基体の回転角に応じた部分から情報が再生される記録媒体。
（２）
前記第２の情報記録体が、屈折率の変調として情報の記録される情報記録体である（１）に記載の記録媒体。
（３）
前記第２の情報記録体に記録される情報が、円環状に配列されたバーコードの態様とされる（１）または（２）に記載の記録媒体。
（４）
前記第２の情報記録体に記録される情報が、前記第１の情報記録体に記録される情報と関連づけられた情報である（１）ないし（３）のいずれか１項に記載の記録媒体。
（５）
前記第２の情報記録体に記録される情報が、前記第１の情報記録体に記録された情報の再生に必要とされる情報である（１）ないし（４）のいずれか１項に記載の記録媒体。
（６）
前記第２の情報記録体に記録される情報が、前記第１の情報記録体に対する情報の記録に必要とされる情報である（１）ないし（５）のいずれか１項に記載の記録媒体。
（７）
前記第１の情報記録体が、入射した光に対する反射特性の変調として情報の記録される情報記録体である（１）ないし（６）のいずれか１項に記載の記録媒体。
（８）
前記第１の情報記録体が、円環状とされ、
前記第２の情報記録体が、円環状とされた前記第１の情報記録体の内径よりも内側に配置される（１）ないし（７）のいずれか１項に記載の記録媒体。
（９）
前記第２の情報記録体が、前記基体に設けられた凹部に配置される（１）ないし（８）のいずれか１項に記載の記録媒体。
【符号の説明】
【０２１５】
１，２，３，５，６，７，８，９・・・記録媒体
１０，１３・・・基体
１１・・・第１の情報記録体
１２・・・第２の情報記録体
５１，５２，５３，５４・・・原版
６１，６２，６３，６４・・・転写部
ＣＬ・・・クランピングエリア
Ｒ１・・・第１の記録領域
Ｒ２・・・第２の記録領域
【図１】
2013211064.tif 000003
【図２】
2013211064.tif 000004
【図３】
2013211064.tif 000005
【図４】
2013211064.tif 000006
【図５】
2013211064.tif 000007
【図６】
2013211064.tif 000008
【図７】
2013211064.tif 000009
【図８】
2013211064.tif 000010
【図９】
2013211064.tif 000011
【図１０】
2013211064.tif 000012
【図１１】
2013211064.tif 000013
【図１２】
2013211064.tif 000014
【図１３】
2013211064.tif 000015
【図１４】
2013211064.tif 000016
【図１５】
2013211064.tif 000017
【図１６】
2013211064.tif 000018
【図１７】
2013211064.tif 000019
【図１８】
2013211064.tif 000020